(57)【要約】 【課題】光効率を向上させることができるバックライトアセンブリ及びこれを備えた表示装置を提供する。 【解決手段】複数の光源と、前記複数の光源から出射された光が入射されてその光をガイドする導光板とを有し、前記複数の光源は、前記導光板の一つ以上の、その中心部を含む側面に対向して配列され、さらに、前記複数の光源は、複数の光源の中で前記中心部に集まって、配列される複数の第１光源を含む第１光源グループと、前記第１光源グループと隣接して配列されて、前記複数の光源のうちの複数の第２光源を含む第２光源グループとを含み、前記第１光源の光源間の平均ピッチは、前記第２光源の光源間の平均ピッチより小さいことを特徴とする。 【選択図】      図２
2008177170.tif 000002
【特許請求の範囲】
【請求項１】
複数の光源と、 
前記複数の光源から出射された光が入射されてその光をガイドする導光板とを有し、 
前記複数の光源は、前記導光板の一つ以上の、その中心部を含む側面に対向して配列され、 
さらに、前記複数の光源は、複数の光源の中で前記中心部に集まって、配列される複数の第１光源を含む第１光源グループと、前記第１光源グループと隣接して配列されて、前記複数の光源のうちの複数の第２光源を含む第２光源グループとを含み、 
前記第１光源の光源間の平均ピッチは、前記第２光源の光源間の平均ピッチより小さいことを特徴とするバックライトアセンブリ。 
【請求項２】
前記導光板の一側面は、その両端に位置するコーナー部を更に含み、前記第１光源グループは前記コーナー部より前記中心部に更に近く位置することを特徴とする請求項１に記載のバックライトアセンブリ。 
【請求項３】
前記複数の光源のうちの相互隣接した光源間の距離は、前記中心部に行くほど狭くなることを特徴とする請求項１に記載のバックライトアセンブリ。 
【請求項４】
前記複数の光源の光源間の距離は、前記導光板の一側面の中心部を中心としてミラー（ｍｉｒｒｏｒ）対称になっていることを特徴とする請求項３に記載のバックライトアセンブリ。 
【請求項５】
前記複数の光源は、複数の第３光源を含む第３光源グループを更に含み、前記第１光源グループは前記第２光源グループと前記第３光源グループとの間に位置し、前記第２光源の数と前記第３光源の数の合計は偶数であることを特徴とする請求項１に記載のバックライトアセンブリ。 
【請求項６】
前記第２光源グループに含まれる前記第２光源の数と前記第３光源グループに含まれる前記第３光源の数が同じであることを特徴とする請求項５に記載のバックライトアセンブリ。 
【請求項７】
前記第２光源の光源間のピッチは、実質的に同じであることを特徴とする請求項１に記載のバックライトアセンブリ。 
【請求項８】
前記第１光源の光源間のピッチは、実質的に同じであることを特徴とする請求項７に記載のバックライトアセンブリ。 
【請求項９】
前記光が外部に出射する表示領域（Ａｃｔｉｖｅ  Ｄｉｓｐｌａｙ  Ａｒｅａ；ＡＤＡ）が定義され、前記第１光源と前記表示領域間の第１平均距離は前記第２光源と前記表示領域間の第２平均距離より近いことを特徴とする請求項１に記載のバックライトアセンブリ。 
【請求項１０】
前記複数の第１光源と前記表示領域間の距離は実質的に同じであることを特徴とする請求項９に記載のバックライトアセンブリ。 
【請求項１１】
前記複数の第２光源は、前記中心部に行くほど前記表示領域との距離が近くなることを特徴とする請求項９に記載のバックライトアセンブリ。 
【請求項１２】
前記導光板の側面に一つ以上の凹部が形成され、前記第１光源グループが前記凹部に対応して位置することを特徴とする請求項１１に記載のバックライトアセンブリ。 
【請求項１３】
前記一つ以上の凹部はさらに複数の凹部を含み、前記複数の凹部は前記中心部に行くほど前記表示領域に近くなることを特徴とする請求項１２に記載のバックライトアセンブリ。 
【請求項１４】
前記第２光源の光源間の平均ピッチ（ｄ２）と前記第２平均距離（ｄ１）との比（ｄ１／ｄ２）は０．２〜０．５であることを特徴とする請求項９に記載のバックライトアセンブリ。 
【請求項１５】
前記第２光源の光源間の平均ピッチ（ｄ２）に対する前記第２平均距離（ｄ１）との比（ｄ１／ｄ２）は実質的に０．３であることを特徴とする請求項１４に記載のバックライトアセンブリ。 
【請求項１６】
前記一つ以上の側面は二つの側面を含み、前記二つの側面は相互対向するか、又は連続して繋がっていることを特徴とする請求項１に記載のバックライトアセンブリ。 
【請求項１７】
前記導光板の一面に前記光を反射させる複数のパターンを形成し、前記パターンは前記中心部に行くほど密になるように配列されることを特徴とする請求項１に記載のバックライトアセンブリ。 
【請求項１８】
前記光源は、発光ダイオードであることを特徴とする請求項１に記載のバックライトアセンブリ。 
【請求項１９】
前記発光ダイオードは、印刷回路基板に実装されることを特徴とする請求項１８に記載のバックライトアセンブリ。 
【請求項２０】
前記発光ダイオードは、赤色発光チップ、緑色発光チップ、及び青色発光チップを含んだ白色発光ダイオード、又は白色光を発光する白色発光チップを含む白色発光ダイオードであることを特徴とする請求項１８に記載のバックライトアセンブリ。 
【請求項２１】
前記第１光源の光源間の最大離隔間隔が前記第２光源の光源間の最小離隔間隔より狭いことを特徴とする請求項１に記載のバックライトアセンブリ。 
【請求項２２】
複数の光源と、 
前記複数の光源から出射された光が入射されてその光をガイドする導光板とを有し、 
前記複数の光源は、前記導光板の一つ以上の、その中心部を含む側面に対向して配列され、 
前記光が外部に出射する表示領域（Ａｃｔｉｖｅ  Ｄｉｓｐｌａｙ  Ａｒｅａ；ＡＤＡ）が定義され、前記複数の光源は実質的に同じ間隔で配列され、さらに、前記複数の光源は前記中心部に近く位置するほど前記表示領域との距離が近くなることを特徴とするバックライトアセンブリ。 
【請求項２３】
前記導光板の側面は一つ以上の凹部を含み、前記光源は前記凹部に対応して位置することを特徴とする請求項２２に記載のバックライトアセンブリ。 
【請求項２４】
発光チップを含む複数の発光ダイオードと、 
前記複数の発光ダイオードが少なくともその一側面に隣接配置される導光板とを有し、 
前記導光板の一側面の中心領域に配置される前記複数の発光ダイオードの密度が前記一側面の両端領域に配置される前記複数の発光ダイオードの密度より大きいことを特徴とするバックライトアセンブリ。 
【請求項２５】
画像を表示する表示パネルと、 
前記表示パネルに光を提供する複数の光源と、 
前記複数の光源から出射された光が入射されてその光を前記表示パネルにガイドする導光板とを有し、 
前記複数の光源は、前記導光板の一つ以上の、その中心部を含む側面に対向して配列され、 
さらに、前記複数の光源は、前記複数の光源の中で前記中心部に集まって、配列される複数の第１光源を含む第１光源グループと、前記第１光源グループと隣接して配列されて、前記複数の光源のうちの複数の第２光源を含む第２光源グループとを含み、 
前記第１光源の光源間の平均ピッチは、前記第２光源の光源間の平均ピッチより小さいことを特徴とする表示装置。 
【請求項２６】
前記複数の光源のうちの相互隣接した光源間の距離は、前記中心部に行くほど狭くなることを特徴とする請求項２５に記載の表示装置。 
【請求項２７】
前記導光板の下側に備えられる反射部材と、前記導光板の上側に備えられる光学部材と、前記複数の光源と前記導光板を収納する固定部材とを更に有することを特徴とする請求項２５に記載の表示装置。 
【発明の詳細な説明】
【技術分野】
【０００１】
本発明はバックライトアセンブリー及びこれを備えた表示装置に関し、特に光効率を向上させることができるバックライトアセンブリ及びこれを備えた表示装置に関するものである。 
【背景技術】
【０００２】
近年、多様な種類の表示装置が開発されている。多様な表示装置中でも急速に発展している半導体技術によって、性能が更に向上した液晶表示装置が多く使用されている。 
液晶表示装置は小型化、軽量化及び低電力化などが可能なので、既存のブラウン管を代替できる。従って液晶表示装置は携帯電話機、ＰＤＡ、及びＰＭＰ（Ｐｏｒｔａｂｌｅ  Ｍｕｌｔｉｍｅｄｉａ  Ｐｌａｙｅｒ）等のような小型製品だけでなく、中大型製品であるモニタ及びＴＶなどに装着されて使用されている。 
【０００３】
しかしながら、液晶表示装置は自ら発光できないので、発光ダイオードなどを光源に用いて画像を表示する。 
発光ダイオードは点光源に近く、複数用いて使用するが液晶表示パネルの表示領域に対しその中央部の輝度が低下するという問題がある。 
【発明の開示】
【発明が解決しようとする課題】
【０００４】
そこで、本発明は上記従来の液晶表示装置における問題点に鑑みてなされたものであって、本発明の目的は、光効率を向上させることができるバックライトアセンブリを提供することにある。 
また、本発明の他の目的は、上述したバックライトアセンブリを備えた表示装置を提供することにある。 
【課題を解決するための手段】
【０００５】
上記目的を達成するためになされた本発明によるバックライトアセンブリは、複数の光源と、前記複数の光源から出射された光が入射されてその光をガイドする導光板とを有し、前記複数の光源は、前記導光板の一つ以上の、その中心部を含む側面に対向して配列され、さらに、前記複数の光源は、複数の光源の中で前記中心部に集まって、配列される複数の第１光源を含む第１光源グループと、前記第１光源グループと隣接して配列されて、前記複数の光源のうちの複数の第２光源を含む第２光源グループとを含み、前記第１光源の光源間の平均ピッチは、前記第２光源の光源間の平均ピッチより小さいことを特徴とする。 
【０００６】
前記導光板の一側面は、その両端に位置するコーナー部を更に含み、前記第１光源グループは前記コーナー部より前記中心部に更に近く位置することが好ましい。 
前記複数の光源のうちの相互隣接した光源間の距離は、前記中心部に行くほど狭くなることが好ましい。 
前記複数の光源の光源間の距離は、前記導光板の一側面の中心部を中心としてミラー（ｍｉｒｒｏｒ）対称になっていることが好ましい。 
前記複数の光源は、複数の第３光源を含む第３光源グループを更に含み、前記第１光源グループは前記第２光源グループと前記第３光源グループとの間に位置し、前記第２光源の数と前記第３光源の数の合計は偶数であることが好ましい。 
前記第２光源グループに含まれる前記第２光源の数と前記第３光源グループに含まれる前記第３光源の数が同じであることが好ましい。 
【０００７】
前記第２光源の光源間のピッチは、実質的に同じであることが好ましい。 
前記第１光源の光源間のピッチは、実質的に同じであることが好ましい。 
前記光が外部に出射する表示領域（Ａｃｔｉｖｅ  Ｄｉｓｐｌａｙ  Ａｒｅａ；ＡＤＡ）が定義され、前記第１光源と前記表示領域間の第１平均距離は前記第２光源と前記表示領域間の第２平均距離より近いことが好ましい。 
前記複数の第１光源と前記表示領域間の距離は実質的に同じであることが好ましい。 
前記複数の第２光源は、前記中心部に行くほど前記表示領域との距離が近くなることが好ましい。 
【０００８】
前記導光板の側面に一つ以上の凹部が形成され、前記第１光源グループが前記凹部に対応して位置することが好ましい。 
前記一つ以上の凹部はさらに複数の凹部を含み、前記複数の凹部は前記中心部に行くほど前記表示領域に近くなることが好ましい。 
前記第２光源の光源間の平均ピッチ（ｄ２）と前記第２平均距離（ｄ１）との比（ｄ１／ｄ２）は０．２〜０．５であることが好ましい。 
前記第２光源の光源間の平均ピッチ（ｄ２）に対する前記第２平均距離（ｄ１）との比（ｄ１／ｄ２）は実質的に０．３であることが好ましい。 
【０００９】
前記一つ以上の側面は二つの側面を含み、前記二つの側面は相互対向するか、又は連続して繋がっていることが好ましい。 
前記導光板の一面に前記光を反射させる複数のパターンを形成し、前記パターンは前記中心部に行くほど密になるように配列されることが好ましい。 
前記光源は、発光ダイオードであることが好ましい。 
前記発光ダイオードは、印刷回路基板に実装されることが好ましい。 
前記発光ダイオードは、赤色発光チップ、緑色発光チップ、及び青色発光チップを含んだ白色発光ダイオード、又は白色光を発光する白色発光チップを含む白色発光ダイオードであることが好ましい。 
前記第１光源の光源間の最大離隔間隔が前記第２光源の光源間の最小離隔間隔より狭いことが好ましい。 
【００１０】
また、上記目的を達成するためになされた本発明によるバックライトアセンブリは、複数の光源と、前記複数の光源から出射された光が入射されてその光をガイドする導光板とを有し、前記複数の光源は、前記導光板の一つ以上の、その中心部を含む側面に対向して配列され、前記光が外部に出射する表示領域（Ａｃｔｉｖｅ  Ｄｉｓｐｌａｙ  Ａｒｅａ；ＡＤＡ）が定義され、前記複数の光源は実質的に同じ間隔で配列され、さらに、前記複数の光源は前記中心部に近く位置するほど前記表示領域との距離が近くなることを特徴とする。 
【００１１】
前記導光板の側面は一つ以上の凹部を含み、前記光源は前記凹部に対応して位置することが好ましい。 
【００１２】
また、上記目的を達成するためになされた本発明によるバックライトアセンブリは、発光チップを含む複数の発光ダイオードと、前記複数の発光ダイオードが少なくともその一側面に隣接配置される導光板とを有し、前記導光板の一側面の中心領域に配置される前記複数の発光ダイオードの密度が前記一側面の両端領域に配置される前記複数の発光ダイオードの密度より大きいことを特徴とする。 
【００１３】
上記目的を達成するためになされた本発明による表示装置は、画像を表示する表示パネルと、前記表示パネルに光を提供する複数の光源と、前記複数の光源から出射された光が入射されてその光を前記表示パネルにガイドする導光板とを有し、前記複数の光源は、前記導光板の一つ以上の、その中心部を含む側面に対向して配列され、さらに、前記複数の光源は、前記複数の光源の中で前記中心部に集まって、配列される複数の第１光源を含む第１光源グループと、前記第１光源グループと隣接して配列されて、前記複数の光源のうちの複数の第２光源を含む第２光源グループとを含み、前記第１光源の光源間の平均ピッチは、前記第２光源の光源間の平均ピッチより小さいことを特徴とする。 
【００１４】
前記複数の光源のうちの相互隣接した光源間の距離は、前記中心部に行くほど狭くなることが好ましい。 
前記導光板の下側に備えられる反射部材と、前記導光板の上側に備えられる光学部材と、前記複数の光源と前記導光板を収納する固定部材とを更に有することが好ましい。 
【発明の効果】
【００１５】
本発明に係るバックライトアセンブリ及びこれを備えた表示装置によれば、光源を効率的に配置することによって表示領域の中心部の輝度を向上させることができ、その結果、視認性が向上するので視聴者は高解像度の画像を視ることができるという効果がある。 
【発明を実施するための最良の形態】
【００１６】
次に、本発明に係るバックライトアセンブリ及びこれを備えた表示装置を実施するための最良の形態の具体例を図面を参照しながら説明する。 
【００１７】
あらためて定義しなかったが、ここに使用される技術用語及び科学用語を含む全ての用語は当業者が一般に理解する意味と同一な意味を有する。普通使用される事前に定義された用語は関連技術文献と現在開示された内容に符合する意味を持つことで追加解釈されて、定義されない限り理想的であったり非常に公式的な意味に解釈されない。例えば、本明細書でピッチは相互隣接する部材の各対応の部分間の距離を意味する。 
【００１８】
図１は、本発明の第１の実施形態によるバックライトアセンブリ１００を分解して概略的に示す分解斜視図である。バックライトアセンブリ１００はＰＤＡ又はＰＭＰなどの電子製品に使用することができる。 
【００１９】
図１に示すように、バックライトアセンブリ１００は光源１０（点線図示）及び導光板２０を含む。この外に、バックライトアセンブリ１００は導光板２０の下側に備えられた反射部材３０、導光板２０の上側に備えられた光学部材４０及び接着部材５０を含む。 
第１固定部材６０及び第２固定部材７０は上述したバックライトアセンブリ１００の部品等を収納する。 
【００２０】
光源１０としては発光ダイオードを使用することができる。発光ダイオードはその大きさが小さいので、小型及び中型表示装置に使用するに適合する。発光ダイオードは赤色発光チップ、緑色発光チップ及び青色発光チップを含むことができる。発光ダイオードは赤色光、緑色光及び青色光を混合して白色光を発光する。 
また発光ダイオードは白色光を発光する白色発光チップを含んでもよい。また、発光ダイオードは発光チップ等に電源を印加する電源端子と、発光チップ等を封止するモールディング部を更に含んでもよい。 
【００２１】
光源１０は、第１固定部材６０に固定する印刷回路基板（又は印刷回路フィルム）１５に実装される。印刷回路基板１５には複数の配線パターンが形成されて光源１０と連結される。従って、印刷回路基板１５は、連結部１５１を通じて外部から駆動電圧が印加されて光源１０を駆動させることができる。 
あるいは、光源１０はＭＣＰＣＢ（Ｍｅｔａｌ  Ｃｏｒｅ  Ｐｒｉｎｔｅｄ  Ｃｉｒｃｕｉｔ  Ｂｏａｒｄ）基板に実装できる。さらには光源１０が実装された基板の一面には白色の絶縁性膜又は光反射膜をコーティングすることができる。 
【００２２】
図１には８個の光源１０を示したが、これは単に本発明を例示するためのものであり、本発明がここに限定されるものではない。従って、他の数の光源１０を使用することができる。 
【００２３】
光源１０は導光板２０の側面２０１に対向して配列される。従って、光源１０から出射した光は導光板２０の側面２０１に入射する。 
導光板２０は光をガイドして、光を導光板２０の全面に均一に拡散させる。拡散された光は＋ｚ軸方向の光学部材４０に向かって出射する。反射部材３０に対向する導光板２０の一面にはパターンが形成されて光を＋ｚ軸方向に反射させる。また、導光板２０の下部に位置する反射部材３０は導光板２０から出射した光を反射させて、光を＋ｚ軸方向に向かうようにする。従って、光の損失を最少化できる。 
【００２４】
導光板２０から出射した光は光学部材４０を通過しながら、その輝度及び均一性が向上する。従って、輝度及び均一性が向上した平面形態の光をバックライトアセンブリ１００の外部に出射することができる。 
【００２５】
接着部材５０は、光学部材４０の上部に位置する。バックライトアセンブリ１００を単独に使用してもよく、受光型表示パネルのバックライトに使用してもよい。従って、接着部材５０を用いて表示パネル（図示せず）をバックライトアセンブリ１００に付着して使用することができる。 
接着部材５０としては感圧性粘着剤（Ｐｒｅｓｓｕｒｅ  Ｓｅｎｓｉｔｉｖｅ  Ａｄｈｅｓｉｖｅ；ＰＳＡ）を使用することができる。ＰＳＡは、加圧によってその内部の粘着物質が均等に拡散して接着性を有する。従って、表示パネルをバックライトアセンブリ１００に堅固に結合することができる。接着部材５０に形成された開口部５０１を通じて、光が出射する表示領域（Ａｃｔｉｖｅ  Ｄｉｓｐｌａｙ  Ａｒｅａ；ＡＤＡ）（図２に図示）が定義される。 
【００２６】
第１固定部材６０は導光板２０、印刷回路基板１５、光学部材４０及び接着部材５０を収納する。第１固定部材６０の下部には、反射部材３０を付着した第２固定部材７０を配し、第２固定部材７０で第１固定部材６０の下部を囲んで固定する。第１固定部材６０は、バックライトアセンブリ１００の部品と直接接するので、外部衝撃によって、部品と衝突して、部品が壊れないように第１固定部材６０を強度が弱い素材で製造することができる。例えば、樹脂などを用いて、第１固定部材６０を製造することができる。 
一方、第２固定部材７０は外部衝撃からバックライトアセンブリ１００の部品を保護するために強度が比較的大きい素材で製造することができる。、例えば、ＳＵＳ（ｓｔａｉｎｌｅｓｓ  ｕｓｅ  ｓｔｅｅｌ）等の金属素材を用いて、第２固定部材７０を製造することができる。 
【００２７】
図１に示すように、本実施形態では複数の光源１０間の距離を異ならせて調節する。つまり、複数の光源１０を導光板２０の中心側に密集させて配置する。視聴者は、画面の周縁よりは画面の中心部を多く見る傾向がある。 
従って、画面中心部の輝度設定が周縁より重要である。その結果、表示領域の全面にかけて輝度を均一にする方法よりは表示領域の中心部の輝度を向上させる方がより良いこともある。つまり、適正水準の均一度を満足させる範囲で画面の中央部の輝度レベルを上昇させることが効率的である。 
このような方法を用いて、バックライトアセンブリ１００を用いた場合の視認性を向上させれば、光源の数も最少化できる。以下、図２を通じてこれをもう少し詳細に説明する。 
【００２８】
図２は、図１のバックライトアセンブリ１００の平面構造を示す平面図である。図２は、図１のバックライトアセンブリ１００のそれぞれの要素を結合してしたものである。図２で光源１０及び導光板２０はバックライトアセンブリ１００の内部に収納されるのでこれらを点線で示す。 
【００２９】
図２に示すように、光源１０はその配列位置によって第１光源グループ（Ｇ１）、第２光源グループ（Ｇ２）、及び第３光源グループ（Ｇ３）に分ける。 
導光板２０の側面２０１は中心部２０１１及びコーナー部２０１３を含む。中心部２０１１に近い複数の第１光源１０１の集合を第１光源グループ（Ｇ１）と定義する。より具体的には、第１光源グループ（Ｇ１）はコーナー部２０１３よりは中心部２０１１に更に近く位置することができる。そして以外の複数の第２光源１０２、複数の第３光源１０３をそれぞれ第２光源グループ（Ｇ２）及び第３光源グループ（Ｇ３）と定義する。第２光源グループ（Ｇ２）及び第３光源グループ（Ｇ３）は第１光源グループ（Ｇ１）と隣接して第１光源グループ（Ｇ１）の両側に位置する。より具体的には、第２光源グループ（Ｇ２）及び第３光源グループ（Ｇ３）は中心部２０１１よりはコーナー部２０１３に更に近く位置することができる。 
【００３０】
図２に示すように、第１光源グループ（Ｇ１）に含まれている第１光源１０１間の第１ピッチ（Ｐ１）は、第２光源グループ（Ｇ２）に含まれている第２光源１０２間の第２ピッチ（Ｐ２）又は第３光源グループ（Ｇ３）に含まれている第３光源１０３間の第３ピッチ（Ｐ３）と異なる。つまり、光源１０を等間隔に配列しないことによってバックライトアセンブリ１００の中央部の輝度を向上させる。 
【００３１】
より具体的には、第１ピッチ（Ｐ１）は第２ピッチ（Ｐ２）又は第３ピッチ（Ｐ３）より小さい。つまり、中心部２０１１に近い第１光源１０１はコーナー部２０１３に近い第２光源１０２及び第３光源１０３に比べて、もう少し密集して配列される。従って、導光板２０の中心部２０１１側にもう少し多量の光を提供することができるので、表示領域の中心からの輝度が向上する。 
【００３２】
一方、複数の光源１０間の距離は、導光板２０の一側面の中心を中心としてミラー（ｍｉｒｒｏｒ）対称になるように配置される。この時、導光板２０の一側面の中心は導光板２０の一側面の長さを二等分する地点を意味する。 
【００３３】
図２では各光源グループ（Ｇ１、Ｇ２、Ｇ３）に含まれている第１光源１０１間、第２光源１０２間、及び第３光源１０３間のピッチがそれぞれ均一なことで示す。つまり、第１光源１０１間のピッチは実質的に同一である。また、第２光源１０２間のピッチ及び第３光源１０３間のピッチもそれぞれ実質的に同一である。 
上述のように、第１光源１０１、第２光源１０２、及び第３光源１０３を配列することによってバックライトアセンブリ１００から出射する光の輝度を均一化し、さらに中心からの輝度を向上することができる。 
【００３４】
しかしながら、各光源（１０１、１０２、１０３）間のピッチは公差によって少しずつ違うこともある。それにもかかわらず、公差はそんなに大きくないので、平均ピッチにおいて第１ピッチの平均は第２ピッチの平均又は第３ピッチの平均より小さい。 
一方、中心部２０１１を除いた導光板２０の残りの部分には同一な量の光を提供して、輝度を均一化する。従って、第２光源グループ（Ｇ２）内の第２光源１０２の数を第３光源グループ（Ｇ３）内の光源１０３の数と同一にする。図２には、第２光源１０２及び第３光源１０３の数を全て２個に例示する。その結果、第２光源１０２及び第３光源１０３は全て偶数であったり全て奇数であることもあるので、第２光源１０２及び第３光源１０３の数の合計は偶数である。 
【００３５】
図３は、本発明の第２の実施形態によるバックライトアセンブリ２００の平面構造を示す平面図である。図３の「Ａ」及び「Ｂ」は、それぞれ導光板２０の下面に形成されたパターン２０９を拡大して示す。図３に示すバックライトアセンブリ２００の構造は図２に示すバックライトアセンブリ１００の構造と類似しているので、同一の部分には同一図面符号を使い、便宜上その詳細な説明を省略する。 
【００３６】
図３に示すように、導光板２０の２つの側面２０１、２０３に沿って光源２０を配列することができる。２つの側面２０１、２０３は連続に繋がっており、それぞれｘ軸方向及びｙ軸方向にのびている。連続に繋がった導光板２０の側面２０１、２０３に光源２０を配列することによって、もう少し輝度が高い画像を実現することができる。 
【００３７】
導光板２０の下面には、複数のパターン２０９が形成されて光源２０から出射した光を反射させることによって表示領域（ＡＤＡ）を通じて出射させる。図３の２個の拡大部分に示すように、導光板２０の「Ａ」地点に位置したパターン２０９は「Ｂ」地点に位置したパターン２０９より密であるように配列される。つまり、導光板２０の中心部に行くほどパターン２０９は密であるように配列される。勿論、上述した複数のパターン２０９は導光板２０の上面に形成されてもよい。このような導光板２０としては一般に強度が高くて、簡単に変形したり壊れなくて透過率が良いＰＭＭＡ（Ｐｏｌｙ  ｍｅｔｈｙｌ  ｍｅｔｈａｃｒｙｌａｔｅ）を使って作られる。 
【００３８】
再度述べるが、図３の拡大部分に示すように、導光板２０の中心部でパターン２０９がもう少し密であるように配列される。従って、光源１０から出射した光をよく反射させて、輝度が向上した光を表示領域（ＡＤＡ）を通じて外部に出射することができる。その結果、バックライトアセンブリ２００では中心部で輝度が向上した光を外部に出射させることができる。 
【００３９】
図４は、本発明の第３の実施形態によるバックライトアセンブリ３００の平面構造を示す平面図である。図４に示すバックライトアセンブリ３００の平面構造は図２に示すバックライトアセンブリ１００の構造と類似しているので、同一の部分には同一図面符号を使い、便宜上その詳細な説明を省略する。 
【００４０】
図４に示すように、光源１０は相互対向して配列できる。つまり、導光板２０はｘ軸方向にのびた二つの側面２０１、２０５を含む。二つの側面２０１、２０５は、相互対向し、光源１０はこのような二つの側面２０１、２０５に沿って配列される。従って、輝度が更に向上した光をバックライトアセンブリ３００の中心を通して、外部に出射させることができる。 
【００４１】
図５は、本発明の第４の実施形態によるバックライトアセンブリ４００の平面構造を示す平面図である。図５に示すバックライトアセンブリ４００の平面構造は図２に示すバックライトアセンブリ１００の構造と類似しているので、同一の部分には同一図面符号を使い、便宜上その詳細な説明を省略する。 
【００４２】
図５に示すように、光源１０を導光板２０の側面２０１に沿って並んで配列することができる。この場合、相互隣接した光源１０間の距離は中心部２０１１に行くほど狭くなる。つまり、導光板２０の側面２０１の中心部２０１１に近く配置された光源１０の密度が側面２０１の両端部に近く配置された光源１０の密度より大きく形成される。従って、中心部２０１１で光源１０が密集して配置されるので、表示領域（ＡＤＡ）の中心を通して、輝度が向上した光を出射することができる。 
【００４３】
図６は、本発明の第５の実施形態によるバックライトアセンブリ５００の平面構造を示す平面図である。図６のバックライトアセンブリ５００の構造は図２のバックライトアセンブリ１００の構造と類似しているので、同一の部分には同一図面符号を使い、その詳細な説明を省略する。 
【００４４】
図６に示すように、導光板２２（点線図示）に凹部２２１が形成され、第１光源グループ（Ｇ１）は凹部２２１に位置する。従って、第１光源グループ（Ｇ１）内の第１光源１０１は第２光源グループ（Ｇ２）内の第２光源１０４又は第３光源グループ（Ｇ３）内の第３光源１０５より表示領域（ＡＤＡ）に近く位置する。 
また、図６に示すように、第１光源グループ（Ｇ１）内では各第１光源１０１と表示領域（ＡＤＡ）との距離は同一である。従って、表示領域（ＡＤＡ）に均一な光を供給することができる。また、図６に示すように、第２光源グループ（Ｇ２）及び第３光源グループ（Ｇ３）内でも各第２光源１０４と表示領域（ＡＤＡ）の距離は同一で、第３光源１０５と表示領域（ＡＤＡ）の距離は同一である。 
【００４５】
しかしながら、これは単に本発明を例示するためのことであり、本発明がこれに限定されるものではない。従って光源（１０１、１０４、１０５）と表示領域（ＡＤＡ）間の距離は同一光源グループ内でも多少相異してもよい。しかしながら、光源（１０１、１０４、１０５）と表示領域（ＡＤＡ）間の平均距離を考慮すれば、第１光源１０１と表示領域（ＡＤＡ）間の平均距離は、第２光源１０４、第３光源１０５と表示領域（ＡＤＡ）間の平均距離より小さい。 
【００４６】
第１光源１０１は、表示領域（ＡＤＡ）に近く配置されるので、表示領域（ＡＤＡ）の中心からの輝度を大きく向上させることができる。そして第２光源１０４間のピッチ及び第３光源１０５間のピッチは第１光源１０１間のピッチより大きい。従って、第２光源１０４及び第３光源１０５を第１光源１０１より表示領域（ＡＤＡ）から更に遠くに配置することによって表示領域（ＡＤＡ）に暗部が発生する現象を防止することができる。つまり、図６の右側に示すように、第３光源１０５から射出する光（Ｌ）が少なくとも表示領域（ＡＤＡ）の周縁では互いに重なるようにすることによって、表示領域（ＡＤＡ）で輝度が低下する現象を防止することができる。 
【００４７】
暗部発生を防止するためには、第２光源１０４間の平均ピッチ（ｄ２）に対する第２光源グループ（Ｇ２）内の第２光源１０４と表示領域（ＡＤＡ）間の平均距離（ｄ１）の比（ｄ１／ｄ２）を０．２〜０．５にすると良い。第２光源１０４間の平均ピッチ（ｄ２）があまり大きかったり平均距離（ｄ１）があまり小さい場合、表示領域（ＡＤＡ）に暗部が発生することができる。反対に、第２光源１０４間の平均ピッチ（ｄ２）があまり小さかったり平均距離（ｄ１）があまり大きい場合、表示領域（ＡＤＡ）の輝度が低下する。 
より具体的には、平均ピッチ（ｄ２）に対する平均距離（ｄ１）の比は実質的に０．３であることが好ましい。 
【００４８】
図７は、本発明の第６の実施形態によるバックライトアセンブリ６００の平面構造を示す平面図である。図７のバックライトアセンブリ６００の構造は、図６のバックライトアセンブリ５００の構造と類似しているので、同一の部分には同一図面符号を使い、その詳細な説明を省略する。 
【００４９】
図７に示すように、導光板２３（点線図示）の側面には複数の凹部２３１、２３３が形成される。各凹部２３１、２３３にはそれぞれ第１光源１０１１、１０１３が位置する。凹部２３１、２３３は導光板２３の中心部に行くほど表示領域（ＡＤＡ）に更に近くなる。第１光源グループ（Ｇ１）内の第１光源１０１１、１０１３を図７に示すように配置することによって表示領域の中心部での輝度を更に向上させることができる。 
【００５０】
図８は、本発明の第７の実施形態によるバックライトアセンブリ７００の平面構造を示す平面図である。図８のバックライトアセンブリ７００の構造は、図６のバックライトアセンブリ６００の構造と類似しているので、同一の部分には同一図面符号を使い、その詳細な説明を省略する。 
【００５１】
図８に示すように、光源１０は実質的に同一の間隔で配列されることができる。光源１０は、導光板２０の側面２０１に位置した中心部２０１１に近く位置するほど表示領域（ＡＤＡ）との距離が近くなる。従って、光源１０を実質的に同一な間隔に配列しても、中心部２０１１では光源１０が表示領域（ＡＤＡ）に近く位置するので、バックライトアセンブリー７００の中心からの輝度を向上させることができる。このため、図８に示すように、導光板２０の側面２０１が段差を有するように導光板２０を製造する。 
【００５２】
図９は、図１のバックライトアセンブリ１００を備える表示装置１０００を分解して示す分解斜視図である。 
表示装置１０００は、表示パネル９００及びここに光を提供するバックライトアセンブリ１００を含む。表示パネル９００としては液晶表示パネルを使用することができる。以外に他の受光型表示パネルを使用することができる。 
【００５３】
表示パネル９００は、可撓性印刷回路フィルム４１を通じて、印刷回路基板８０と電気的に接続される。図９には、可撓性印刷回路フィルム４１が切れているように示しているが、実際には連結されている。また、図９には連結部１５１が切れているように示しているが、実際には連結されている。印刷回路基板８０は連結部１５１を通じて、光源１０（図１に図示）に駆動電圧を供給する。 
【００５４】
表示パネル９００は、薄膜トランジスタ（ＴＦＴ）パネル４３、カラーフィルタパネル４５、及び両パネルの間に注入される液晶（図示せず）を含む。ＴＦＴパネル４３はカラーフィルタパネル４５と対向し、複数のＴＦＴがマトリックス形態に形成される。ＴＦＴパネル４３のソース端子にはデータラインが接続され、ゲート端子にはゲートラインが接続される。そしてドレイン端子には導電性であり、透明なＩＴＯ（酸化インジウム錫）で形成された画素電極が形成される。 
【００５５】
ＴＦＴパネル４３のデータライン及びゲートラインは印刷回路基板８０に接続されるので、印刷回路基板８０から電気信号を入力するとＴＦＴのソース端子とゲート端子に電気的な信号が入力される。ＴＦＴは、電気的な信号の入力により導通又は遮断して、画素形成に必要な電気的な信号がドレイン端子に出力される。 
集積回路チップ４７はＴＦＴパネル４３の上に実装されて表示パネル９００を制御する。集積回路チップ４７はデータ駆動信号及びゲート駆動信号を適切な時期に印加するための複数のタイミング信号を発生させた後、それぞれ表示パネル９００のデータライン及びゲートラインに印加する。集積回路チップ４７の周囲には、保護膜４９が塗布されて集積回路チップ４７を保護する。 
【００５６】
カラーフィルタパネル４５は、ＴＦＴパネル４３に対向してＴＦＴパネル４３の上に配置される。カラーフィルタパネル４５は光が通過しながら、所定の色が発現する色画素のＲＧＢ画素が薄膜工程によって形成された基板で、前面にＩＴＯで形成された共通電極が塗布される。 
ＴＦＴのゲート端子及びソース端子に電圧が印加されて、薄膜トランジスタが導通すると、画素電極とカラーフィルタ基板の共通電極の間には電界が形成される。電界によってＴＦＴパネル４３とカラーフィルタパネル４５の間に注入された液晶の配列角が変化して、変化した配列角によって光透過度が変更されて、所望の画素を得るようになる。偏光板（図示せず）は表示パネル９００の両面に付着して表示パネル９００を通過する光を偏光させる。 
【００５７】
表示パネル９００をバックライトアセンブリ１００の上に装着した後、第３固定部材９０が表示パネル９００を覆う。第３固定部材９０を第１固定部材６０に結合して、第２固定部材７０の側面に密着させる。従って、表示装置１０００に表示パネル９００を堅固に収納することができる。印刷回路基板８０は第２固定部材７０の下部に位置する。 
【００５８】
尚、本発明は、上述の実施形態に限られるものではない。本発明の技術的範囲から逸脱しない範囲内で多様に変更実施することが可能である。 
【図面の簡単な説明】
【００５９】
【図１】本発明の第１の実施形態によるバックライトアセンブリの概略的な分解斜視図である。
【図２】図１のバックライトアセンブリの平面構造を示す平面図である。
【図３】本発明の第２の実施形態によるバックライトアセンブリの平面構造を示す平面図である。
【図４】本発明の第３の実施形態によるバックライトアセンブリの平面構造を示す平面図である。
【図５】本発明の第４の実施形態によるバックライトアセンブリの平面構造を示す平面図である。
【図６】本発明の第５の実施形態によるバックライトアセンブリの平面構造を示す平面図である。
【図７】本発明の第６の実施形態によるバックライトアセンブリの平面構造を示す平面図である。
【図８】本発明の第７の実施形態によるバックライトアセンブリの平面構造を示す平面図である。
【図９】図１のバックライトアセンブリを備えた表示装置の分解斜視図である。
【符号の説明】
【００６０】
１０      光源 
１５      印刷回路基板 
２０、２２、２３    導光板 
３０      反射部材 
４０      光学部材 
４１      可撓性印刷回路フィルム 
４３      ＴＦＴパネル 
４５      カラーフィルタパネル 
４７      集積回路チップ 
４９      保護膜 
５０      接着部材 
６０      第１固定部材 
７０      第２固定部材 
８０      印刷回路基板 
１００、２００、３００、４００、５００、６００、７００  バックライトアセンブリ 
１０１、１０１１、１０１３    第１光源 
１０２、１０４    第２光源 
１０３、１０５    第３光源 
１５１      連結部 
２０１、２０３、２０５    （導光板の）側面 
２０９      パターン 
２２１、２３１、２３３    凹部 
５０１      （接着部材の）開口部 
９００      表示パネル 
１０００      表示装置 
２０１１      中心部 
２０１３      コーナー部 
【図１】
2008177170.tif 000003
【図２】
2008177170.tif 000004
【図３】
2008177170.tif 000005
【図４】
2008177170.tif 000006
【図５】
2008177170.tif 000007
【図６】
2008177170.tif 000008
【図７】
2008177170.tif 000009
【図８】
2008177170.tif 000010
【図９】
2008177170.tif 000011